(57)【特許請求の範囲】
【請求項１】
複数の映像機器からの映像入力端子の挿入有無を検出する映像入力端子板と、前記映像入力端子に入力された映像信号を切り換える事の出来る映像信号切り換え装置と、前記映像信号切り換え装置に接続され映像信号の同期信号の有無を検出する同期信号検出回路と、前記映像信号切り換え装置に接続されノイズ信号を検出できるノイズ信号検出回路と、前記映像入力端子板の検出結果で映像入力端子の挿入の有無を認識し、更に前記同期信号検出回路の検出結果および前記ノイズ信号検出回路の検出結果により前記映像機器の電源投入の有無を認識するマイクロコンピュータと、前記映像入力端子板の検出結果に基づいて映像機器の接続された映像入力端子、または、前記同期信号検出回路の検出結果あるいは前記ノイズ信号検出回路の検出結果により前記映像機器の電源投入中の映像入力端子のみを順次切り換えるスイッチ、または、映像入力装置を遠隔操作するリモコン発信器を備え、
前記スイッチ、または、前記リモコン発信器の切り換えにおいて、映像機器の接続された映像入力端子、かつ、前記映像機器の電源投入中の映像入力端子を優先的に選択し、映像機器の接続された映像入力端子、かつ、前記映像機器の電源切中の映像入力端子はその後に選択することを特徴とする映像入力装置。
【発明の詳細な説明】
【０００１】
【発明の属する技術分野】
本発明は、テレビジョン受像機を含めた映像機器に関するものである。
【０００２】
【従来の技術】
従来のテレビジョン受像機は、押すごとに入力系統を切り換えるスイッチをテレビジョン受像機に内蔵する、またはテレビジョン受像機を遠隔操作するリモコン発信器内に備えた構成としていた。
また、入力系統毎の入力系統ダイレクト切り換えスイッチを有したテレビジョン受像機では、入力系統が増えるほどスイッチが増加していた。
【０００３】
【発明が解決しようとする課題】
上記従来構成の場合、テレビジョン受像機の有する入力系統数が増加すればするほど所望の入力系統を選択するまでに必要なスイッチ操作が増加し、使用者の操作感を大きく損なう問題点を有していた。
また、これを改善するために入力系統ごとの入力系統ダイレクト切り換えスイッチを有したテレビジョン受像機では、入力系統が増える事にスイッチ数を増やさねばならずスイッチを物理的に配置できない、または数が増え過ぎ所望のスイッチを探すのが困難であるという問題点を有していた。
【０００４】
本発明は上記課題を解決するもので、使用者の目的とする入力系統を出来るだけ少ない操作回数、操作スイッチ数でわかり易く選択できるテレビジョン受像機を提供することを目的とする。
【０００５】
【課題を解決するための手段】
前記課題を解決するために本発明の映像入力装置は、映像入力端子に端子接続の有無を検出できる映像入力端子板と、映像入力端子に入力された映像信号を自在に切り換える事の出来る映像信号切り換え装置と、映像信号切り換え装置に接続され映像信号の同期信号の有無を検出する同期信号検出回路と、映像信号切り換え装置に接続され映像信号を微分する事で再生不可能なノイズ信号を検出できるノイズ信号検出回路と、それらの情報を包括的に認識できるマイクロコンピュータを用い、現在どの入力系統に端子が接続され、またその端子の中でどの映像機器の電源が投入されているのかを自動的に認識し、それをマトリクス状にしてマイクロコンピュータに記憶する。
【０００６】
前記マイクロコンピュータはその状態をオンスクリーン表示し、使用者にどの入力系統に映像機器が接続されているのか、また、その中でどの機器に電源が投入されているのかを示す。
使用者はそのオンスクリーン表示から所望の入力系統をポインティングデバイスを有したリモコン発信器により指し示し入力系統を切り換える。
または、上記の情報から押すごとに入力系統を順次切り換えるスイッチによって選択する入力系統を自動的に意味のある入力系統に限定したり、選択する入力系統の順序を並べ換える事によって使用者の操作回数を効果的に減らし、入力切り換えの操作感を向上したテレビジョン受像機を構成する事が出来る。
【０００７】
【発明の実施の形態】
本第１の発明は、映像入力端子に入力された映像信号を自在に切り換える事の出来る映像信号切り換え装置と、映像信号切り換え装置に接続され映像信号の同期信号の有無を検出する同期信号検出回路の出力と、映像信号切り換え装置に接続され映像信号を微分する事で再生不可能なノイズ信号を検出できるノイズ信号検出回路の出力との論理和と、映像入力端子に端子接続の有無を検出できる映像入力端子板から得られる端子接続検出結果との論理積とを別々に逐一認識できるマイクロコンピュータを用い、押すごとに入力系統を切り換える入力系統切り換えスイッチのユーザー操作により、現在映像機器の接続があり、かつ何等かの入力のある入力系統に優先的にテレビジョン受像機の入力を切り換え、その後に、映像機器の接続がある入力系統に入力を切り換え、その他はスキップする。
【００１６】
以下，本発明の実施例におけるテレビジョン受像機について図面を用いて説明する．
（実施例１）
本発明の請求項１、請求項２、請求項３及び請求項４に記載されたテレビジョン受像機について、図１、図２及び図３を用い、請求項４のテレビジョン受像機を例に説明する。
【００１７】
図１は本発明のテレビジョン受像機における信号切り換え装置のブロック構成図とマイクロコンピュータ、リモコン発信装置との関係を示す。
図１において、符号１は映像信号端子の入力の有無を検出する端子板、２は信号切り換え装置、３は同期信号検出回路、４はノイズ信号検出回路、５はマイクロコンピュータ、６はポインティングデバイスを備えたリモコン発信器である。
図２は外部映像機器の接続例を示す図である。図３は外部機器の接続状態をオンスクリーン表示した一例の図で、８はオンスクリーン表示、９はその時選択できる外部接続機器の一覧である。
【００１８】
信号切り換え装置に接続された各種映像機器の接続状況を端子板１とマイクロコンピュータ５によって認識し、更に外部映像機器の電源投入の有無を信号切り換え装置２により順次切り換えられた信号を元に同期信号検出回路３及びノイズ信号検出回路４によって検出し、マイクロコンピュータ４によって認識する。
マイクロコンピュータ５はこれらの情報を記憶し、その状態をオンスクリーン表示で使用者に示す。このとき同時にマイクロコンピュータ５は前記の条件により、選択できる入力系統と選択できない入力系統に入力系統を分類する。
使用者はポインティングデバイスを備えたリモコン発振器６により、オンスクリーン表示８によって示された幾らかの選択肢の中から所望の入力系統を指し示し、テレビジョン受像機の入力を決定する。
【００１９】
（実施例２）
本発明の請求項５、請求項６、請求項７、請求項８及び請求項９に記載されたテレビジョン受像機について、図１、図２及び図４を用い、請求項９のテレビジョン受像機を例に説明する。
【００２０】
図１は本発明のテレビジョン受像機における信号切り換え装置のブロック構成図とマイクロコンピュータ、リモコン発信装置との関係を示す。
図１において、符号１は映像信号端子の入力の有無を検出する端子板、２は信号切り換え装置、３は同期信号検出回路、４はノイズ信号検出回路、５はマイクロコンピュータ、７は押すごとに入力系統を切り換えるスイッチである。図２は外部映像機器の接続例を示す図である。図４はその時選択できる外部接続機器と選択順序を示す図である。
【００２１】
信号切り換え装置に接続された各種映像機器の接続状況を端子板１とマイクロコンピュータ５によって認識し、更に外部映像機器の電源投入の有無を信号切り換え装置２により順次切り換えられた信号を元に同期信号検出回路３及びノイズ信号検出回路５によって検出し、マイクロコンピュータ５によって認識し、これらの情報を記憶する。
このとき同時にマイクロコンピュータ５は前記の条件により、選択できる入力系統と選択できない入力系統に入力系統を分類する。
使用者は押すごとに入力系統を切り換える入力系統切り換えスイッチ７を操作する事で、自動的に抽出された意味のある入力系統の中から所望の入力系統を順番に探し、テレビジョン受像機の入力を決定する。
【００２２】
【発明の効果】
以上のように本発明によれば、入力系統数が複数のテレビジョン受像機において、外部機器接続の有無、外部機器電源投入の有無を認識し、自動的に抽出された意味のある入力系統に選択条件を限定したり、選択する順序を変更する事で、使用者の目的とする入力系統を出来るだけ少ない操作回数でわかり易く選択するテレビジョン受像機を構成する事が可能になる。
【図面の簡単な説明】
【図１】本発明の一実施例におけるテレビジョン受像機の信号切り換えブロック構成図
【図２】テレビジョン受像機への外部映像機器の接続例を示す図
【図３】本発明の一実施例におけるオンスクリーン表示の一例の図
【図４】本発明の一実施例における外部接続機器の選択順序を示す図
【符号の説明】
１  端子検出機能付き端子板
２  信号切り換え装置
３  同期信号検出回路
４  ノイズ信号検出回路
５  マイクロコンピュータ
６  ポインティングデバイスを備えたリモコン発信器
７  押すごとに入力系統を切り換えるスイッチ
８  オンスクリーン表示
９  外部接続機器一覧
【図１】
0004329134.tif 000002
【図２】
0004329134.tif 000003
【図３】
0004329134.tif 000004
【図４】
0004329134.tif 000005